(57)【要約】【課題】外部からの衝撃力や押圧力により筐体が撓んでも、筐体カバーの枠部が液晶表示装置に当たらないようにすることで液晶表示装置の破損を少なくする。【解決手段】筺体内に液晶表示装置５が収納され、その収納位置に相当する筺体の開口部11に表示窓７が嵌め込まれ、この開口部の周囲に表示窓を支持するための枠部10が設けられている液晶表示付き電子機器において、枠部の筺体内側部分の厚みを削減して、枠部の根元部分の厚みより先端部分の厚みを薄くする。筺体が外部圧力で撓んだ場合でも、枠部の下面が、液晶表示面や液晶表示ホルダ４、液晶表示ホルダの爪９と接触しないため、液晶表示装置の破損が回避できる。【選択図】図１
2006154864.tif 000002
【特許請求の範囲】
【請求項１】
筺体内に液晶表示装置が収納され、その収納位置に相当する筺体の開口部に表示窓が嵌め込まれ、前記開口部の周囲に表示窓を支持するための枠部が設けられている液晶表示付き電子機器において、
前記枠部の筺体内側部分の厚みを削減して、前記枠部の根元部分の厚みより先端部分の厚みを薄くしたことを特徴とする液晶表示付き電子機器。
【請求項２】
筺体内に液晶表示装置が収納され、その収納位置に相当する筺体の開口部に表示窓が嵌め込まれ、前記開口部の周囲に表示窓を支持するための枠部が設けられている液晶表示付き電子機器において、
前記開口部の少なくとも一辺での枠部の幅を、その辺の両端での幅に比べて中央部での幅が狭くなるように設定したことを特徴とする液晶表示付き電子機器。
【請求項３】
前記枠部の筺体内側部分の厚みを削減して、前記枠部の根元部分の厚みより先端部分の厚みを薄くしたことを特徴とする請求項２に記載の液晶表示付き電子機器。
【請求項４】
前記枠部の筺体内側の面を傾斜平面としたことを特徴とする請求項１または３に記載の液晶表示付き電子機器。
【請求項５】
前記枠部の筺体内側の面を、筺体内側が凸の曲面としたことを特徴とする請求項１または３に記載の液晶表示付き電子機器。
【請求項６】
前記枠部の筺体内側の面を、筺体内側が凹の曲面としたことを特徴とする請求項１または３に記載の液晶表示付き電子機器。
【請求項７】
前記枠部の筺体内側の面を、階段状の段付き面としたことを特徴とする請求項１または３に記載の液晶表示付き電子機器。
【発明の詳細な説明】
【技術分野】
【０００１】
本発明は、液晶表示装置を具備する携帯無線機や携帯端末などの電子機器に関し、特に、液晶表示装置の破損を防止するものである。
【背景技術】
【０００２】
従来から、携帯無線機や携帯端末などの携帯用電子機器には、使用者に必要な情報を表示するための液晶表示装置が設けられている。図１０には、液晶表示装置を有する携帯用電子機器の一例として、携帯無線機の分解斜視図を示し、そのＪ−Ｊ断面図を図１１に示している。
【０００３】
この機器は、液晶表示装置35が実装されたプリント基板33と、このプリント基板33を収容する筐体ケース32と、液晶表示を見るための表示窓37が設けられた筐体カバー31とで構成されており、プリント基板33を筐体ケース32に収め、筐体ケース32と筐体カバー31とを嵌め合わせることによって、プリント基板33が筐体ケース32及び筐体カバー31で覆われる。
【０００４】
プリント基板33上には、液晶表示装置35を保持する液晶表示ホルダ34が固定されている。この液晶表示ホルダ34は、液晶表示装置35の位置決めをする凹部と、図１４に拡大して示すように、この凹部に配置した液晶表示装置35を押さえ込む爪39とを備えている。
【０００５】
液晶表示装置35は、二枚のガラス板の間に液晶が配置されており、図１１では、これを二層の積層体として表示している。
【０００６】
筺体カバー31には、表示窓37の配置位置に開口部が形成されており、この開口部の周囲には、筺体カバー31の表面から一段下がって、表示窓37を支えるための枠部41が設けられている。
【０００７】
表示窓37は、外部から表示内容が見えるように透明のプラスチックで形成されている。この表示窓37は、枠部41に溶着または接着で取り付けられ、外部からの埃や塵の侵入を防いでいる。
【０００８】
表示窓37を取り付ける枠部41の断面の厚さは、筺体カバー31と一体に樹脂成形がし易いように、その先端まで一定の肉厚に設定されている。
【０００９】
また、枠部41の幅は、開口部の周囲に沿って一定に設定されている。枠部41先端によって区画される開孔は、液晶表示装置35の表示範囲とほぼ同じ形状を有しており、例えば、液晶表示装置35の表示範囲が長方形であるならば、開孔もほぼ長方形である。
【００１０】
また、筐体カバー31と液晶表示装置35との間には、電子機器筐体内部の埃や塵が液晶表示装置35の表示面に侵入するのを防止するため、この表示面の表示範囲を取り囲むように、スポンジなどの弾性体で形成された防塵パッキン38が取り付けられている。
【特許文献１】実願昭６１−０７９２３４号（実開昭６２−１９０２２３号）のマイクロフィルム
【特許文献２】特開昭６０−１３０９８３号公報
【発明の開示】
【発明が解決しようとする課題】
【００１１】
しかし、従来の電子機器では、落下などの衝撃や外部圧力などによって液晶表示装置がしばしば破損する。
【００１２】
こうした事故は、携帯用電子機器の小型化が進み、電子機器筐体内部に部品同士が近接して密集状態で実装され、液晶表示装置も筐体カバーに近接して配置されていることが原因している。
【００１３】
図１２及び図１３には、表示窓37に外部圧力40が加わり、筐体カバー31が変形した状態を示している。図１２は、図１０のＪ−Ｊ断面方向より見た図であり、図１３は、図１０のＫ−Ｋ断面方向から見た図である。落下などの衝撃や外部圧力40が表示窓37に加わると、このように表示窓37や筐体カバー31が撓み、液晶表示装置35と接触して液晶表示装置35が破損する。
【００１４】
こうした場合の液晶表示装置35の破損状況を詳しく調査した結果、図１４に示すように、液晶表示装置35のガラスの辺の中央部、あるいは液晶表示ホルダ34の爪39が存在する部分からクラックが進行し、破損していることが判明した。
【００１５】
これは、外部圧力40によって、筺体カバー31の開口部の中央を中心に撓みが発生し、開口部周辺の枠部41では、図１３に示すように、各辺の枠の中央部分における変形量が最大となり、この枠部分が液晶表示装置35のガラス面に接触した場合には、ガラスの辺の中央部にクラックが入り、また、この枠部分が液晶表示ホルダ34に接触した場合には、この液晶表示ホルダ34に設けられている爪39がガラス面に強く押し付けられて、爪39の位置からガラスにクラックが入るものと考えられる。
【００１６】
本発明は、こうした実情に鑑みて成されたものであり、落下などの衝撃や外部からの押圧力で筐体カバーが撓んだ場合でも、その力が液晶表示装置に及ばないように構成することによって、液晶表示装置の破損を防止した液晶表示付き電子機器を提供することを目的としている。
【課題を解決するための手段】
【００１７】
そこで、本発明の液晶表示付き電子機器では、筺体の開口部の周囲に設けられている表示窓支持用の枠部の筺体内側部分の厚みを削減して、枠部の根元部分の厚みより先端部分の厚みを薄くしている。
【００１８】
また、開口部の少なくとも一辺での枠部の幅を、その辺の両端での幅に比べて中央部での幅が狭くなるように設定している。
【００１９】
そのため、筺体が落下などの衝撃や外部からの押圧力で撓んだ場合でも、枠部の下面が、液晶表示面や液晶表示ホルダ、液晶表示ホルダの爪と接触することが無く、液晶表示装置の破損が回避できる。
【発明の効果】
【００２０】
以上の説明から明らかなように、本発明の液晶表示付き電子機器は、外部からの衝撃力や押圧力が加わった場合でも、筐体内面が液晶表示装置に当たることがなく、液晶表示装置の破損を免れることができる。
【発明を実施するための最良の形態】
【００２１】
本発明の請求項１に記載の発明は、筺体内に液晶表示装置が収納され、その収納位置に相当する筺体の開口部に表示窓が嵌め込まれ、この開口部の周囲に表示窓を支持するための枠部が設けられている液晶表示付き電子機器において、枠部の筺体内側部分の厚みを削減して、枠部の根元部分の厚みより先端部分の厚みを薄くしたものであり、筺体が外部圧力で撓んだ場合でも、枠部の下面が、液晶表示面や液晶表示ホルダ、液晶表示ホルダの爪と接触しないため、液晶表示装置の破損が回避できる。
【００２２】
請求項２に記載の発明は、筺体内に液晶表示装置が収納され、その収納位置に相当する筺体の開口部に表示窓が嵌め込まれ、この開口部の周囲に表示窓を支持するための枠部が設けられている液晶表示付き電子機器において、開口部の少なくとも一辺での枠部の幅を、その辺の両端での幅に比べて中央部での幅が狭くなるように設定したものであり、筺体が外部圧力で撓んだ場合の最大の撓み量を減らすことができるため、枠部と、液晶表示面や液晶表示ホルダ、液晶表示ホルダの爪とが接触しなくなり、液晶表示装置の破損が回避できる。
【００２３】
請求項３に記載の発明は、請求項２の液晶表示付き電子機器において、枠部の筺体内側部分の厚みを削減して、枠部の根元部分の厚みより先端部分の厚みを薄くしたものであり、請求項２の構成と請求項１の構成とを組み合わせて、液晶表示装置の一層の破損防止を図ることができる。
【００２４】
請求項４に記載の発明は、この枠部の筺体内側の面を傾斜平面としたものであり、筺体が外部圧力で撓んだ場合でも、枠部の下面が、液晶表示面や液晶表示ホルダ、液晶表示ホルダの爪と接触しないため、液晶表示装置の破損が回避できる。
【００２５】
請求項５に記載の発明は、この枠部の筺体内側の面を、筺体内側が凸の曲面としたものであり、筺体が外部圧力で撓んだ場合でも、枠部の下面が、液晶表示面や液晶表示ホルダ、液晶表示ホルダの爪と接触しないため、液晶表示装置の破損が回避できる。
【００２６】
請求項６に記載の発明は、この枠部の筺体内側の面を、筺体内側が凹の曲面としたものであり、筺体が外部圧力で撓んだ場合でも、枠部の下面が、液晶表示面や液晶表示ホルダ、液晶表示ホルダの爪と接触しないため、液晶表示装置の破損が回避できる。
【００２７】
請求項７に記載の発明は、この枠部の筺体内側の面を、階段状の段付き面としたものであり、筺体が外部圧力で撓んだ場合でも、枠部の下面が、液晶表示面や液晶表示ホルダ、液晶表示ホルダの爪と接触しないため、液晶表示装置の破損が回避できる。
【００２８】
以下、本発明の実施の形態について、図面を用いて説明する。
【００２９】
（第１の実施形態）
第１の実施形態では、液晶表示付き携帯無線機を例に、その構成について説明する。図１は、この液晶表示付き携帯無線機の分解斜視図を示し、図２は、図１のＡ−Ａ断面図、図３は、図２のＢ部拡大図を示している。
【００３０】
この機器は、液晶表示装置５が実装されたプリント基板３と、このプリント基板３を収容する筐体ケース２と、表示窓７が設けられた筐体カバー１とを備えており、プリント基板３上には、従来の装置と同様に、液晶表示装置５を保持する液晶表示ホルダ４が固定され、この液晶表示ホルダ４の凹部に配置された液晶表示装置５が液晶表示ホルダ４の爪９によって押さえ込まれている。
【００３１】
筺体カバー１には、表示窓７の配置位置に開口部11が形成され、この開口部11の周囲には、筺体カバー１の表面から一段下がって、表示窓７を支えるための枠部10が設けられている。
【００３２】
表示窓７は、透明のプラスチックで形成され、枠部10に溶着または接着で取り付けられており、外部からの埃や塵の筺体内への侵入を防いでいる。
【００３３】
また、筐体カバー１と液晶表示装置５との間には、電子機器筐体内部の埃や塵が液晶表示装置５の表示面に侵入するのを防止するため、この表示面の表示範囲を取り囲むように、スポンジなどの弾性体で形成された防塵パッキン８が取り付けられている。
【００３４】
表示窓７を取り付ける枠部10の肉厚は、図３に拡大して示すように、端面の厚さａが、枠部の根元の厚さｂに比べて、薄く（ａ＜ｂ）なるように設定しており、枠部10の端部に行くほど内側の面と外側の面とが接近するように、内側の面を角度θで傾斜させている。
【００３５】
図４は、この機器の表示窓７に外部圧力12が加わった時の筺体カバー１、枠部10及び液晶表示装置５の状態を断面図で示している。外部圧力12が加わることによって、表示窓７、筐体カバー１及び枠部10は内側に撓むが、枠部10の下面にテーパが付されているため、枠部10の下面は、液晶表示装置５との間に隙間ｈを保つことができ、液晶表示装置５のガラス面や液晶ホルダ４、液晶ホルダの爪９には接触しない。
【００３６】
そのため、筺体に外部圧力12が加わった時でも、液晶表示装置５の破損を免れることができる。
【００３７】
（第２の実施形態）
第２の実施形態の機器では、枠部下面に曲面形状のテーパを付している。
【００３８】
この機器の枠部10は、図５の部分断面拡大図に示すように、端面の厚さａが、枠部の根元の厚さｂに比べて、薄く（ａ＜ｂ）なるように、枠部10の内側の面を、筺体の内方向が凸の曲面（断面形状の曲線ｒが筐体カバー１の外面側に中心点を持つ曲面）で形成している。
【００３９】
この機器においても、筺体に外部圧力が加わり、表示窓７、筐体カバー１及び枠部10が内側に撓んだときに、枠部10の下面に曲面形状のテーパが付されているため、枠部10の下面は、液晶表示装置５との間に隙間を保つことができ、液晶表示装置５のガラス面や液晶ホルダ４、液晶ホルダの爪９に接触しない。
【００４０】
そのため、液晶表示装置５の破損を免れることができる。
【００４１】
なお、図５では、枠部10の内側の面を、筺体の内方向が凸の曲面で形成した場合を示しているが、筺体の内方向が凹の曲面（断面形状の曲線が筐体の内面側に中心点を持つ曲面）で形成しても同様の効果が得られる。
【００４２】
（第３の実施形態）
第３の実施形態の機器では、枠部の肉厚を段階状に変えている。
【００４３】
この機器では、図６の部分断面拡大図に示すように、枠部10の肉厚が根元の厚さｂから端面の厚さａ（ａ＜ｂ）まで、段階的に変わるように、枠部10の下面に段差を設けている。
【００４４】
この機器においても、筺体に外部圧力が加わり、表示窓７、筐体カバー１及び枠部10が内側に撓んだときに、枠部10の下面に段差によるテーパが付されているため、枠部10の下面は、液晶表示装置５との間に隙間を保つことができ、液晶表示装置５のガラス面や液晶ホルダ４、液晶ホルダの爪９に接触しない。
【００４５】
そのため、液晶表示装置５の破損を免れることができる。
【００４６】
（第４の実施形態）
第４の実施形態の機器では、開口部に突き出す枠部の幅を、辺の中央部で狭めている。
【００４７】
この装置の表示窓７周辺の外観斜視図を図７に示し、表示窓７を取り外した筐体開口部11の拡大斜視図を図８に示している。
【００４８】
この装置では、筐体カバー１の開口部11に設けた枠部10の各辺における幅（開孔に向けての突き出し量）を、両端より中央部の方が狭くなるように設定している。図８では、開口部11の長辺に設けた枠の両端における幅をｆ１、この枠の中央部における幅をｅ１で表し、ｅ１＜ｆ１の関係にあることを示している。また、開口部11の短辺に設けた枠の両端における幅をｆ２、この枠の中央部における幅をｅ２で表し、ｅ２＜ｆ２の関係にあることを示している。
【００４９】
このように、枠部10の各辺の中央部における幅を狭めることにより、外部からの押圧力が筺体に加わったときの各辺の枠中央部における撓み量を少なくすることができる。図９は、表示窓７に外部圧力12が加わったときの図７のＤ−Ｄ断面を示している。
【００５０】
前述するように、外部からの押圧力が筺体カバー１の表示窓７付近に加わった場合には、開口部11の各辺の中央部における撓み量が最大となるが、その開口部の辺の中央部から突き出る枠の幅を狭めることにより、その最大の撓み量を減らすことが可能になる。
【００５１】
そのため、外部圧力が加わった場合でも、枠部10の下面と液晶表示装置５との間に隙間ｈを保つことができ、枠部10と、液晶表示装置５のガラス面や液晶ホルダ４、液晶ホルダの爪９との接触を避けることができ、液晶表示装置５の破損を免れることができる。
【図面の簡単な説明】
【００５２】
【図１】第１の実施形態における電子機器の分解斜視図、
【図２】前記電子機器の図１におけるＡ−Ａ断面図、
【図３】前記電子機器の図２におけるＢ部拡大図、
【図４】前記電子機器に外部圧力が加わったときの図１におけるＡ−Ａ断面図、
【図５】第２の実施形態における電子機器のＡ−Ａ断面図、
【図６】第３の実施形態における電子機器のＡ−Ａ断面図、
【図７】第４の実施形態における電子機器の表示窓周辺部拡大斜視図、
【図８】前記電子機器の図７におけるＣ部拡大図、
【図９】前記電子機器に外部圧力が加わったときの図７におけるＤ−Ｄ断面図、
【図１０】従来の電子機器の分解斜視図、
【図１１】従来の電子機器の図１０におけるＪ−Ｊ断面図、
【図１２】従来の電子機器に外部圧力が加わったときの図１０におけるＪ−Ｊ断面図、
【図１３】従来の電子機器に外部圧力が加わったときの図１０におけるＫ−Ｋ断面図、
【図１４】従来の電子機器の液晶破損図である。
【符号の説明】
【００５３】
１、31  筐体カバー
２、32  筐体ケース
３、33  プリント基板
４、34  液晶表示ホルダ
５、35  液晶表示装置
７、37  表示窓
８、38  防塵パッキン
９、39  爪
10、41  枠部
11  開口部
12、40  外部圧力
ａ  枠部端面厚さ
ｂ  枠部根元厚さ
ｅ  枠部の各辺の中央部の幅（突き出し量）
ｆ  枠部の各辺の両端部の幅（突き出し量）
ｈ  隙間
【図１】
2006154864.tif 000003
【図２】
2006154864.tif 000004
【図３】
2006154864.tif 000005
【図４】
2006154864.tif 000006
【図５】
2006154864.tif 000007
【図６】
2006154864.tif 000008
【図７】
2006154864.tif 000009
【図８】
2006154864.tif 000010
【図９】
2006154864.tif 000011
【図１０】
2006154864.tif 000012
【図１１】
2006154864.tif 000013
【図１２】
2006154864.tif 000014
【図１３】
2006154864.tif 000015
【図１４】
2006154864.tif 000016
【手続補正書】
【提出日】平成18年4月14日(2006.4.14)
【手続補正１】
【補正対象書類名】特許請求の範囲
【補正対象項目名】全文
【補正方法】変更
【補正の内容】
【特許請求の範囲】
【請求項１】
液晶表示装置と、
前記液晶表示装置の対向に位置する表示窓と、
前記液晶表示装置と前記表示窓との間に位置し、前記表示窓を支持する枠部と、を有し、
前記枠部の少なくとも一辺は、中央部において凹部を有することを特徴とする液晶表示付き電子機器。
【請求項２】
液晶表示装置と、
前記液晶表示装置の対向に位置する表示窓と、
前記液晶表示装置と前記表示窓との間に位置し、前記表示窓を支持する枠部と、を有し、
前記枠部の少なくとも一辺は、広部と前記広部よりも幅が狭い狭部とからなることを特徴とする液晶表示付き電子機器。
【請求項３】
液晶表示装置と、
前記液晶表示装置の対向に位置する表示窓と、
前記液晶表示装置と前記表示窓との間に位置し、前記表示窓を支持する枠部と、を有し、
前記枠部の少なくとも一辺は、前記表示窓を支持する面の幅が端部よりも中央部の方が狭いことを特徴とする液晶表示付き電子機器。
【請求項４】
液晶表示装置と、
前記液晶表示装置を格納する筐体と、
前記筐体に設けられ、前記液晶表示装置の対向に位置する開口部と、
前記開口部に設けられた表示窓と、
前記開口部の周囲に設けられ、前記表示窓を支持する枠部と、を有し、
前記開口部の少なくとも一辺は、凸部を有することを特徴とした液晶表示付き電子機器。
【請求項５】
液晶表示装置と、
前記液晶表示装置を格納する筐体と、
前記筐体に設けられ、前記液晶表示装置の対向に位置する開口部と、
前記開口部に設けられた表示窓と、
前記開口部の周囲に設けられ、前記表示窓を支持する枠部と、を有し、
前記開口部の少なくとも一辺は、対辺との距離が前記辺の中央部よりも端部の方が短いことを特徴とする液晶表示付き電子機器。
【請求項６】
前記枠部は略長方形であることを特徴とする請求項１から請求項５のいずれかに記載の液晶表示付き電子機器。
【請求項７】
前記開口部は、８角形であることを特徴とした請求項４または請求項５に記載の液晶表示付き電子機器。
【請求項８】
前記枠部の前記液晶表示装置と対向する面がテーパ形状であることを特徴とする請求項１から請求項７のいずれかに記載の液晶表示付き電子機器。
【請求項９】
前記枠部の前記液晶表示装置と対向する面の縁が傾斜面であることを特徴とする請求項１から請求項７のいずれかに記載の液晶表示付き電子機器。
【請求項１０】
前記枠部の前記液晶表示装置と対向する面が段差によるテーパ形状であることを特徴とする請求項１から請求項７のいずれかに記載の液晶表示付き電子機器。
【請求項１１】
前記枠部の下面と前記液晶表示装置の液晶表示面との距離は、前記枠部の根元部分よりも前記枠部の先端部分の方が長いことを特徴とする請求項１から請求項７のいずれかに記載の液晶表示付き電子機器。
【請求項１２】
前記枠部の前記液晶表示装置と対向する面のテーパ形状は、傾斜平面であることを特徴とする請求項８記載の液晶表示付き電子機器。
【請求項１３】
前記枠部の前記液晶表示装置と対向する面のテーパ形状は、凸の曲面であることを特徴とする請求項８記載の液晶表示付き電子機器。
【請求項１４】
前記枠部の前記液晶表示装置と対向する面のテーパ形状は、凹の曲面であることを特徴とする請求項８記載の液晶表示付き電子機器。
【請求項１５】
前記枠部と前記液晶表示装置との間に前記液晶表示装置の液晶表示範囲を取り囲むように弾性体を設けることを特徴とした請求項１から請求項１４のいずれかに記載の液晶表示付き電子機器。
【手続補正２】
【補正対象書類名】明細書
【補正対象項目名】００１７
【補正方法】変更
【補正の内容】
【００１７】
そこで、本発明の液晶表示付き電子機器では、筐体の開口部の周囲に設けられている表示窓支持用の枠部の少なくとも一辺での幅を、その辺の両端での幅に比べて中央部での幅が狭くなるように設定している。
【手続補正３】
【補正対象書類名】明細書
【補正対象項目名】００１８
【補正方法】削除
【補正の内容】
【手続補正４】
【補正対象書類名】明細書
【補正対象項目名】００２１
【補正方法】変更
【補正の内容】
【００２１】
本発明の請求項１に記載の発明は、液晶表示装置と、前記液晶表示装置の対向に位置する表示窓と、前記液晶表示装置と前記表示窓との間に位置し、前記表示窓を支持する枠部と、を有し、前記枠部の少なくとも一辺は、中央部において凹部を有することを特徴とする液晶表示付き電子機器であり、外部圧力で枠部が撓んだ場合でも、最大の撓み量を減らすことができるため、枠部と、液晶表示面や液晶表示ホルダ、液晶表示ホルダの爪とが接触しなくなり、液晶表示装置の破損が回避できる。
【手続補正５】
【補正対象書類名】明細書
【補正対象項目名】００２２
【補正方法】変更
【補正の内容】
【００２２】
請求項２に記載の発明は、液晶表示装置と、前記液晶表示装置の対向に位置する表示窓と、前記液晶表示装置と前記表示窓との間に位置し、前記表示窓を支持する枠部と、を有し、前記枠部の少なくとも一辺は、広部と前記広部よりも幅が狭い狭部とからなることを特徴とする液晶表示付き電子機器であり、外部圧力で枠部が撓んだ場合でも、最大の撓み量を減らすことができるため、枠部と、液晶表示面や液晶表示ホルダ、液晶表示ホルダの爪とが接触しなくなり、液晶表示装置の破損が回避できる。
【手続補正６】
【補正対象書類名】明細書
【補正対象項目名】００２３
【補正方法】変更
【補正の内容】
【００２３】
請求項３に記載の発明は、液晶表示装置と、前記液晶表示装置の対向に位置する表示窓と、前記液晶表示装置と前記表示窓との間に位置し、前記表示窓を支持する枠部と、を有し、前記枠部の少なくとも一辺は、前記表示窓を支持する面の幅が端部よりも中央部の方が狭いことを特徴とする液晶表示付き電子機器であり、外部圧力で枠部が撓んだ場合でも、最大の撓み量を減らすことができるため、枠部と、液晶表示面や液晶表示ホルダ、液晶表示ホルダの爪とが接触しなくなり、液晶表示装置の破損が回避できる。
【手続補正７】
【補正対象書類名】明細書
【補正対象項目名】００２４
【補正方法】変更
【補正の内容】
【００２４】
請求項４に記載の発明は、液晶表示装置と、前記液晶表示装置を格納する筐体と、前記筐体に設けられ、前記液晶表示装置の対向に位置する開口部と、前記開口部に設けられた表示窓と、前記開口部の周囲に設けられ、前記表示窓を支持する枠部と、を有し、前記開口部の少なくとも一辺は、凸部を有することを特徴とした液晶表示付き電子機器であり、筐体が外部圧力で撓んだ場合でも、枠部と、液晶表示面や液晶表示ホルダ、液晶表示ホルダの爪とが接触しなくなり、液晶表示装置の破損が回避できる。
【手続補正８】
【補正対象書類名】明細書
【補正対象項目名】００２５
【補正方法】変更
【補正の内容】
【００２５】
請求項５に記載の発明は、液晶表示装置と、前記液晶表示装置を格納する筐体と、前記筐体に設けられ、前記液晶表示装置の対向に位置する開口部と、前記開口部に設けられた表示窓と、前記開口部の周囲に設けられ、前記表示窓を支持する枠部と、を有し、前記開口部の少なくとも一辺は、対辺との距離が前記辺の中央部よりも端部の方が短いことを特徴とする液晶表示付き電子機器であり、筐体が外部圧力で撓んだ場合でも、枠部と、液晶表示面や液晶表示ホルダ、液晶表示ホルダの爪とが接触しなくなり、液晶表示装置の破損が回避できる。
【手続補正９】
【補正対象書類名】明細書
【補正対象項目名】００２６
【補正方法】変更
【補正の内容】
【００２６】
請求項６に記載の発明は、請求項１から請求項５の液晶表示付き電子機器において、前記枠部を略長方形にしたものである。
【手続補正１０】
【補正対象書類名】明細書
【補正対象項目名】００２７
【補正方法】変更
【補正の内容】
【００２７】
請求項７に記載の発明は、請求項４または請求項５に記載の液晶表示付き電子機器において、前記開口部を８角形にしたものである。
請求項８に記載の発明は、請求項１から請求項７の液晶表示付き電子機器において、前記枠部の前記液晶表示装置と対向する面がテーパ形状であることを特徴とするものであり、外部圧力で枠部が撓んだ場合でも、枠部の下面が、液晶表示面や液晶表示ホルダ、液晶表示ホルダの爪と接触しないため、液晶表示装置の一層の破損防止を図ることができる。
請求項９に記載の発明は、請求項１から請求項７の液晶表示付き電子機器において、前記枠部の前記液晶表示装置と対向する面の縁が傾斜面であることを特徴とするものであり、外部圧力で枠部が撓んだ場合でも、枠部の下面が、液晶表示面や液晶表示ホルダ、液晶表示ホルダの爪と接触しないため、液晶表示装置の一層の破損防止を図ることができる。
請求項１０に記載の発明は、請求項１から請求項７の液晶表示付き電子機器において、前記枠部の前記液晶表示装置と対向する面が段差によるテーパ形状であることを特徴とするものであり、外部圧力で枠部が撓んだ場合でも、枠部の下面が、液晶表示面や液晶表示ホルダ、液晶表示ホルダの爪と接触しないため、液晶表示装置の一層の破損防止を図ることができる。
請求項１１に記載の発明は、請求項１から請求項７の液晶表示付き電子機器において、前記枠部の下面と前記液晶表示装置の液晶表示面との距離が、前記枠部の根元部分よりも前記枠部の先端部分の方が長いことを特徴とするものであり、外部圧力で枠部が撓んだ場合でも、枠部の下面が、液晶表示面や液晶表示ホルダ、液晶表示ホルダの爪と接触しないため、液晶表示装置の一層の破損防止を図ることができる。
請求項１２に記載の発明は、請求項８の液晶表示付き電子機器において、前記枠部の前記液晶表示装置と対向する面のテーパ形状が、傾斜平面であることを特徴とするものであり、外部圧力で枠部が撓んだ場合でも、枠部の下面が、液晶表示面や液晶表示ホルダ、液晶表示ホルダの爪と接触しないため、液晶表示装置の一層の破損防止を図ることができる。
請求項１３に記載の発明は、請求項８の液晶表示付き電子機器において、前記枠部の前記液晶表示装置と対向する面のテーパ形状が、凸の曲面であることを特徴とするものであり、外部圧力で枠部が撓んだ場合でも、枠部の下面が、液晶表示面や液晶表示ホルダ、液晶表示ホルダの爪と接触しないため、液晶表示装置の一層の破損防止を図ることができる。
請求項１４に記載の発明は、請求項８の液晶表示付き電子機器において、前記枠部の前記液晶表示装置と対向する面のテーパ形状が、凹の曲面であることを特徴とするものであり、外部圧力で枠部が撓んだ場合でも、枠部の下面が、液晶表示面や液晶表示ホルダ、液晶表示ホルダの爪と接触しないため、液晶表示装置の一層の破損防止を図ることができる。
請求項１５に記載の発明は、請求項１から請求項１４の液晶表示付き電子機器において、前記枠部と前記液晶表示装置との間に前記液晶表示装置の液晶表示範囲を取り囲むように弾性体を設けることを特徴とするものであり、外部圧力が加わった場合でも、液晶表示装置の一層の破損防止を図ることができる。